(57)【要約】【課題】簡単な構造の局所空気清浄化装置を提供する。【解決手段】局所空気清浄化装置１は、清浄化された一様空気流を吹き出す空気流開口面２３を有するプッシュフード２を備えている。プッシュフード２は、空気流開口面２３から吹き出された一様空気流が、空気流開口面２３の下流側において空気衝突面Ｗに衝突するように配置されている。プッシュフード２は、空気流開口面２３を空気衝突面Ｗから離間して対向させることにより、プッシュフード２の空気流開口面２３と空気衝突面Ｗとの間に開放した領域を形成する。空気流開口面２３から吹き出される清浄化された一様空気流は、空気衝突面Ｗで衝突して開放した領域外に流出することにより、開放した領域内を他の領域に比較して高い清浄度とする。【選択図】図１
2013088012.tif 000002
【特許請求の範囲】
【請求項１】
清浄化された一様空気流を吹き出す空気流開口面を有するプッシュフードを備え、
前記プッシュフードは、前記空気流開口面から吹き出される清浄化された一様空気流が、前記空気流開口面の下流側において空気衝突面に衝突するように配置され、
前記プッシュフードの前記空気流開口面を前記空気衝突面から離間して対向させることにより、前記プッシュフードの前記空気流開口面と前記空気衝突面との間に開放した領域を形成し、
前記空気流開口面から吹き出される清浄化された一様空気流が前記空気衝突面で衝突して前記開放した領域外に流出することにより、前記開放した領域内を他の領域に比較して高い清浄度とする、ことを特徴とする局所空気清浄化装置。
【請求項２】
前記プッシュフードは、複数のプッシュフードを連結してなる、ことを特徴とする請求項１に記載の局所空気清浄化装置。
【請求項３】
前記空気流開口面から吹き出される清浄化された一様空気流の流速は０．２〜０．５ｍ／ｓである、ことを特徴とする請求項１または２に記載の局所空気清浄化装置。
【請求項４】
前記プッシュフードの前記空気流開口面の幅は２ｍ以上１０ｍ未満であり、
前記プッシュフードの前記空気流開口面と前記空気衝突面との距離は、前記空気流開口面から吹き出された一様空気流が４秒以内に前記空気衝突面に衝突する距離である、ことを特徴とする請求項１乃至３のいずれか１項に記載の局所空気清浄化装置。
【請求項５】
前記プッシュフードの前記空気流開口面の幅は１ｍ以上２ｍ未満であり、
前記プッシュフードの前記空気流開口面と前記空気衝突面との距離は、前記空気流開口面から吹き出された一様空気流が３秒以内に前記空気衝突面に衝突する距離である、ことを特徴とする請求項１乃至３のいずれか１項に記載の局所空気清浄化装置。
【請求項６】
前記プッシュフードの前記空気流開口面の幅は０．２ｍ以上１ｍ未満であり、
前記プッシュフードの前記空気流開口面と前記空気衝突面との距離は、前記空気流開口面から吹き出された一様空気流が２秒以内に前記空気衝突面に衝突する距離である、ことを特徴とする請求項１乃至３のいずれか１項に記載の局所空気清浄化装置。
【請求項７】
前記空気衝突面は、前記プッシュフードの前記空気流開口面の端部と対向する位置の近傍に、前記プッシュフード側に向かって屈曲した屈曲部を有する、ことを特徴とする請求項１または２に記載の局所空気清浄化装置。
【請求項８】
前記プッシュフードの前記空気流開口面の幅は２ｍ以上１０ｍ未満であり、
前記プッシュフードの前記空気流開口面と前記空気衝突面との距離は、前記空気流開口面から吹き出された一様空気流が６秒以内に前記空気衝突面に衝突する距離である、ことを特徴とする請求項７に記載の局所空気清浄化装置。
【請求項９】
前記プッシュフードの前記空気流開口面の幅は１ｍ以上２ｍ未満であり、
前記プッシュフードの前記空気流開口面と前記空気衝突面との距離は、前記空気流開口面から吹き出された一様空気流が５秒以内に前記空気衝突面に衝突する距離である、ことを特徴とする請求項７項に記載の局所空気清浄化装置。
【請求項１０】
前記プッシュフードの前記空気流開口面の幅は０．２ｍ以上１ｍ未満であり、
前記プッシュフードの前記空気流開口面と前記空気衝突面との距離は、前記空気流開口面から吹き出された一様空気流が３秒以内に前記空気衝突面に衝突する距離である、ことを特徴とする請求項７項に記載の局所空気清浄化装置。
【発明の詳細な説明】
【技術分野】
【０００１】
本発明は、局所空気清浄化装置に関する。
【背景技術】
【０００２】
従来、局所的な作業空間の空気清浄度を向上させる装置としてクリーンベンチがしばしば用いられている。一般的なクリーンベンチは、作業台の手前の面だけが作業用の開口になっており、それ以外の面では清浄度を保つために囲いとなっている。このようなクリーンベンチでは、その囲い内に清浄空気吹き出し口が配置されており、作業者は手前の作業用の開口から手を入れて作業を行っている。
【０００３】
しかし、クリーンベンチの作業用の開口が狭いことから、作業者が精密機械の組立作業等を行う場合には、その作業性に問題がある。また、製造ラインのように、製品や製造部品の移動が伴う場合には、ライン全体をクリーンルーム内に入れる等の措置がとられてきたが、これでは設備が大規模になってしまうという問題がある。
【０００４】
このため、清浄化された空気の一様流を吹き出すことのできる一対のプッシュフードの空気流開口面を対向させて配置し、それぞれの空気流開口面からの空気流を衝突させることにより、一対のプッシュフード間の領域を他の領域に比較して高い清浄度を有する清浄空気空間とすることができる局所空気清浄化装置が提案されている（特許文献１）。
【先行技術文献】
【特許文献】
【０００５】
【特許文献１】特開２００８−２７５２６６号公報
【発明の概要】
【発明が解決しようとする課題】
【０００６】
ところで、作業の種類や作業の進め方によっては、もう少し簡単な構造の局所空気清浄化装置を用いて作業を行いたい場合もある。このため、より簡単な構造の局所空気清浄化装置が要望されている。
【０００７】
本発明は、上記問題に鑑みてなされたものであり、簡単な構造の局所空気清浄化装置を提供することを目的とする。
【課題を解決するための手段】
【０００８】
上記目的を達成するため、本発明の局所空気清浄化装置は、
清浄化された一様空気流を吹き出す空気流開口面を有するプッシュフードを備え、
前記プッシュフードは、前記空気流開口面から吹き出される清浄化された一様空気流が、前記空気流開口面の下流側において空気衝突面に衝突するように配置され、
前記プッシュフードの前記空気流開口面を前記空気衝突面から離間して対向させることにより、前記プッシュフードの前記空気流開口面と前記空気衝突面との間に開放した領域を形成し、
前記空気流開口面から吹き出される清浄化された一様空気流が前記空気衝突面で衝突して前記開放した領域外に流出することにより、前記開放した領域内を他の領域に比較して高い清浄度とする、ことを特徴とする。
【０００９】
前記プッシュフードは、例えば、複数のプッシュフードを連結してなる。
前記空気流開口面から吹き出される清浄化された一様空気流の流速は０．２〜０．５ｍ／ｓであることが好ましい。
前記プッシュフードの前記空気流開口面の幅は２ｍ以上１０ｍ未満であり、
前記プッシュフードの前記空気流開口面と前記空気衝突面との距離は、前記空気流開口面から吹き出された一様空気流が４秒以内に前記空気衝突面に衝突する距離である、ことが好ましい。
前記プッシュフードの前記空気流開口面の幅は１ｍ以上２ｍ未満であり、
前記プッシュフードの前記空気流開口面と前記空気衝突面との距離は、前記空気流開口面から吹き出された一様空気流が３秒以内に前記空気衝突面に衝突する距離である、ことが好ましい。
前記プッシュフードの前記空気流開口面の幅は０．２ｍ以上１ｍ未満であり、
前記プッシュフードの前記空気流開口面と前記空気衝突面との距離は、前記空気流開口面から吹き出された一様空気流が２秒以内に前記空気衝突面に衝突する距離である、ことが好ましい。
【００１０】
前記空気衝突面は、前記プッシュフードの前記空気流開口面の端部と対向する位置の近傍に、前記プッシュフード側に向かって屈曲した屈曲部を有することが好ましい。
前記プッシュフードの前記空気流開口面の幅は２ｍ以上１０ｍ未満であり、
前記プッシュフードの前記空気流開口面と前記空気衝突面との距離は、前記空気流開口面から吹き出された一様空気流が６秒以内に前記空気衝突面に衝突する距離である、ことが好ましい。
前記プッシュフードの前記空気流開口面の幅は１ｍ以上２ｍ未満であり、
前記プッシュフードの前記空気流開口面と前記空気衝突面との距離は、前記空気流開口面から吹き出された一様空気流が５秒以内に前記空気衝突面に衝突する距離である、ことが好ましい。
前記プッシュフードの前記空気流開口面の幅は０．２ｍ以上１ｍ未満であり、
前記プッシュフードの前記空気流開口面と前記空気衝突面との距離は、前記空気流開口面から吹き出された一様空気流が３秒以内に前記空気衝突面に衝突する距離である、ことが好ましい。
【発明の効果】
【００１１】
本発明によれば、簡単な構造の局所空気清浄化装置を提供することができる。
【図面の簡単な説明】
【００１２】
【図１】本発明の実施の形態に係る局所空気清浄化装置を示す図である。
【図２】プッシュフードの構造を示す図である。
【図３】局所空気清浄化装置の別例を示す図である。
【図４】清浄化された一様空気流の流れを説明するための図である。
【図５】空気流開口面の幅を説明するための図である。
【図６】他の実施の形態の局所空気清浄化装置を示す図である。
【図７】他の実施の形態の局所空気清浄化装置を示す図である。
【図８】他の実施の形態の局所空気清浄化装置を示す図である。
【図９】実施例１の測定位置を示す図である。
【発明を実施するための形態】
【００１３】
以下、本発明の局所空気清浄化装置について、図面を参照して説明する。図１は、本発明の実施の形態に係る局所空気清浄化装置の一例を示す図である。
【００１４】
図１に示すように、本発明の局所空気清浄化装置１は、壁、衝立などの空気衝突面Ｗに対向するように配置されたプッシュフード２を備えている。
【００１５】
プッシュフード２は、清浄化された一様空気流を吹き出す機構を有するものであればよく、従来からプッシュプル型換気装置に用いられているプッシュフードを基本的構造とし清浄用フィルタを内設した構造を採用することができる。
【００１６】
ここでいう一様空気流および一様流は、林太郎著「工場換気」（空気調和・衛生工学会  １９８２年発行）に記載の一様流と同義であり、一様に連続し、大きな渦部の生じない微風速の流れをいう。ただし、本発明は、空気の流速および速度分布を厳密に規定した空気吹き出し装置を提供しようとするものではない。一様空気流は、例えば、障害物がない状態での速度分布のバラツキが、その平均値に対して±５０％以内、さらには±３０％以内であるものが好ましい。
【００１７】
図２にプッシュフード２の構造を示す。図２に示すように、プッシュフード２のハウジング２１は、略直方体状に形成され、その一面に空気流吸込面２２が形成されている。空気流吸込面２２は、例えば、ハウジング２１の一面全体に複数の孔が形成された面からなる。空気流吸込面２２では、この孔からプッシュフード２の外部の周辺空気である外気や室内空気を取り入れる。また、ハウジング２１の空気流吸込面２２と対向する他面には、空気吹出面（空気流開口面）２３が形成されている。空気流開口面２３は、例えば、ハウジング２１の一面全体に複数の孔が形成された面からなる。空気流開口面２３では、この孔からプッシュフード２内で形成された清浄空気の一様空気流がプッシュフード２の外部に吹き出される。プッシュフード２の空気流開口面２３の大きさは、特に限定されるものではないが、例えば、１０５０ｍｍ×８５０ｍｍである。
【００１８】
プッシュフード２は、その空気流開口面２３が壁などの空気衝突面Ｗに距離Ｘだけ離間して対向するように配置されている。ここで、空気流開口面２３が空気衝突面Ｗに対向するとは、プッシュフード２の空気流開口面２３と空気衝突面Ｗとが正対した状態に限定されるものではなく、例えば、図３に示すように、プッシュフード２の空気流開口面２３と空気衝突面Ｗとが若干傾いた状態のものも含まれる。プッシュフード２の空気流開口面２３と空気衝突面Ｗとの傾きは、空気流開口面２３と空気衝突面Ｗとが成す角度が３０°程度の範囲内であることが好ましい。
【００１９】
ハウジング２１内には、送風機構２４と、高性能フィルタ２５と、整流機構２６とが配置されている。
送風機構２４は、ハウジング２１内の空気流吸込面２２側に配置されている。送風機構２４は、空気吹き出し用のファン等から構成されている。送風機構２４は、プッシュフード２の周辺空気である外気や室内空気を空気流吸込面２２から取り入れるとともに、空気流開口面２３から空気流を吹き出す。また、送風機構２４は、ファンの吹き出し力を制御することにより、空気流開口面２３から吹き出される空気流の流速を可変できるように形成されている。
【００２０】
高性能フィルタ２５は、送風機構２４と整流機構２６との間に配置されている。高性能フィルタ２５は、取り入れた周辺空気をろ過するためのＨＥＰＡフィルタ（High Efficiency Particulate Air Filter）やＵＬＰＡフィルタ（Ultra Low Penetration Air Filter）等の清浄化レベルに応じた高性能フィルタから構成されている。高性能フィルタ２５は、送風機構２４によって取り入れた周辺空気を所望の洗浄化レベルの清浄空気に清浄化する。高性能フィルタ２５により所望の洗浄化レベルに清浄された清浄空気は、送風機構２４により整流機構２６に送られる。
【００２１】
整流機構２６は、高性能フィルタ２５と空気流開口面２３との間に配置されている。整流機構２６は、図示しない空気抵抗体を備えており、それはパンチングプレートや網部材などから形成されている。整流機構２６は、高性能フィルタ２５から送風され、空気流開口面２３全体に対して通気量に偏りのある送風空気を、空気流開口面２３全体に対して通気量に偏りのない均一化された空気流（一様空気流）に補正（整流）する。この整流された一様空気流が、送風機構２４により、空気流開口面２３全体からプッシュフード２の外部に吹き出される。
【００２２】
また、プッシュフード２は、図２に示すように、ハウジング２１内の空気流吸込面２２と送風機構２４との間に、プレフィルタ２７が配置されていることが好ましい。プレフィルタ２７としては、例えば、中性能フィルタが挙げられる。空気流吸込面２２と送風機構２４との間にプレフィルタ２７を配置することにより、空気流吸込面２２を介してハウジング２１内部に吸い込まれた周辺空気に含まれる比較的大きな粉塵を取り除くことができる。このように周辺空気に含まれる粉塵の大きさに応じて多段階で粉塵を取り除くことができるので、目詰まり等が生じやすい高性能フィルタ２５の性能を長期間維持することができる。
【００２３】
このように構成された局所空気清浄化装置１では、プッシュフード２の送風機構２４によって取り入れた空気流吸込面２２近傍の周辺空気がプレフィルタ２７、及び、高性能フィルタ２５によって所望の清浄化レベルの清浄空気に清浄化される。そして、清浄化された清浄空気が整流機構２６によって一様空気流に整流され、清浄化された一様空気流が空気流開口面２３全体から空気衝突面Ｗに吹き出される。空気流開口面２３から吹き出された空気流は空気衝突面Ｗに衝突する。図４に示すように、空気流開口面２３を空気衝突面Ｗに正対させた場合、一様空気流は、空気衝突面Ｗに衝突すると、ほぼ垂直に流れの向きを変える挙動を示す。このように流れることにより、空気衝突面Ｗに衝突した空気流はぶつかった面の外側へと流出する。この結果、気流がぶつかった面から空気流開口面２３端部までの領域において清浄空間が得られる。
【００２４】
ここで、空気流開口面２３から吹き出される清浄化された一様空気流の流速は、０．３〜０．５ｍ／ｓであることが好ましく、消費電力を抑えたい場合には０．２〜０．３ｍ／ｓに風速を落としたり、局所空気清浄化装置１内が汚染され、すばやく清浄化したい場合には、０．５〜０．７ｍ／ｓに風速を上げたり、適宜選択することすることも可能である。流速を遅くすると、送風機構のファンの回転数を抑えられるため、騒音値及び消費電力を抑制することができる。それに伴い、送風量が低下するため、プレフィルタ２７、及び、高性能フィルタ２５へ堆積する粉じん量を低減することができる。一方、空気流開口面２３と空気衝突面Ｗとの間に形成される開放した領域内で、コンタミナンツが発生するような状況においては、一様空気流の流速を０．５ｍ／ｓ程度とすることで、一様空気流の流速を０．２ｍ/ｓに設定している場合と比較して開放した領域内のコンタミナンツを速やかに排除することができる。このように、使用の用途に応じて自由に一様空気流の流速を設定することも可能である。なお、空気流開口面２３から吹き出される一様空気流の風速を上げすぎると、渦部が生じ、空気流開口面２３から一様空気流が吹き出す際に乱流を巻き起こし、空気流開口面２３と空気衝突面Ｗとの間に形成される開放した領域内に、開放した領域外のコンタミナンツを巻き込んでしまうおそれがある。このため、空気流開口面２３から吹き出される一様空気流の風速は、渦部を生じないような風速にすることが好ましい。
【００２５】
また、空気流開口面２３と空気衝突面Ｗとの距離は、空気流開口面２３の幅が２ｍ以上１０ｍ未満の場合には流速の４倍の距離以内（空気流開口面２３から吹き出された一様空気流が４秒以内に空気衝突面Ｗに衝突する距離）にすることが好ましい。また、空気流開口面２３の幅が１ｍ以上２ｍ未満の場合には流速の３倍の距離以内（空気流開口面２３から吹き出された一様空気流が３秒以内に空気衝突面Ｗに衝突する距離）以内にすることが好ましい。さらに、空気流開口面２３の幅が０．２ｍ以上１ｍ未満の場合には流速の２倍の距離以内（空気流開口面２３から吹き出された一様空気流が２秒以内に空気衝突面Ｗに衝突する距離）にすることが好ましい。かかる距離にすることにより、空気流開口面２３と空気衝突面Ｗとの間の開放された領域を高い清浄度にすることができるためである。
【００２６】
ここで、空気流開口面２３の幅（Ｌ）は、空気流開口面２３が円形の場合、図５（ａ）に示すように、その円の直径をいう。また、空気流開口面２３の幅（Ｌ）は、空気流開口面２３が矩形の場合、図５（ｂ）に示すように、内接する最大の円の直径、すなわち、短辺の長さをいう。さらに、空気流開口面２３の幅（Ｌ）は、空気流開口面２３が楕円形、多角形の場合、図５（ｃ）〜（ｇ）に示すように、内接する最大の円の直径をいう。また、空気流開口面２３の幅（Ｌ）は、開口面が凹部を含む形状の場合、図５（ｈ）に示すように、向かい合う辺の距離が最短となる位置で内接する円の直径をいう。さらに、空気流開口面２３の幅（Ｌ）は、開口面が凹形の場合、図５（ｉ）に示すように、凹部を有する辺と向かい合う辺との距離が最短となる位置で内接する円の直径をいう。
【００２７】
以上説明したように、本実施の形態の局所空気清浄化装置１によれば、プッシュフード２を空気衝突面Ｗに対向するように配置することにより、空気流開口面２３と空気衝突面Ｗとの間の開放した領域を局所空気清浄化装置１外の領域よりも高い清浄度とすることができる。このように本発明は簡単な構造の局所空気清浄化装置１を提供することができる。
【００２８】
また、一般的なクリーンルームでは部屋全体を清浄化するため、施工工事が容易でないが、本実施の形態の局所空気清浄化装置１においては、プッシュフード２を容易に移動させることができる。
【００２９】
さらに、本実施の形態の開放した領域内には、一般的なクリーンルームに必要な作業者や部品や製造機器の出し入れするためのドアがなく、これらのドアを開けることによる清浄空間領域内の清浄度低下がなく、いつでも開放した領域から出入り、或いは、部品等の出し入れが可能である。一般のクリーンルームでは、クリーンルーム内が汚染されたときは、クリーンルームに供給された清浄空気によってクリーンルーム内の汚染空気が希釈され、これを排気することで徐々にクリーンルーム内を清浄化している。従ってクリーンルーム内が汚染された場合には、清浄化されるまでに数時間を要する。しかし、本発明では、仮に開放した領域内が汚れたとしても、空気流開口面２３から吹き出す清浄化された一様空気流が、汚染空気を押し出すように流れるので、極めて短時間で清浄化することが可能である。
【００３０】
また、一般的なクリーンルームでは、クリーンルームに供給された清浄空気は、クリーンルーム内に設けられた排気口、或いは、クリーンルームの壁面と床面との間に形成されるわずかな隙間から排出される。これは、一般的なクリーンルームでは、前記隙間を積極的に小さくし、クリーンルーム内を陽圧にすることで、外部からの汚染空気の進入を防止しているからである。しかし、本発明では、前記クリーンルームのような壁面を必要とせず、開放した領域を形成し、その形成された空間を清浄化できる。このため、この開放した領域を清浄化した領域として前述のような出入り口等に利用するなど、利便性が高い。
【００３１】
なお、本発明は、上記の実施の形態に限られず、種々の変形、応用が可能である。以下、本発明に適用可能な他の実施の形態について説明する。
【００３２】
上記実施の形態では、プッシュフード２が１個のプッシュフードから構成されている場合を例に本発明を説明したが、プッシュフード２を構成するプッシュフードの数は、複数個であってもよい。例えば、プッシュフード２は、図６に示すように、連結具によりそれぞれ９個（縦３個×横３個）のプッシュフードが連結されていてもよい。また、プッシュフード２は、連結具によりそれぞれ４個（縦２個×横２個）のプッシュフードが連結されていてもよい。これらのようにプッシュフードが連結される場合には、プッシュフードの空気流開口面が同一方向であって、プッシュフードの短辺どうし、長辺どうしがそれぞれ隣り合うように配列される。このとき、互いのプッシュフードは隣り合うプッシュフードの側面、上下面或いはその両方の面が気密状態で連結されていること、或いは、隣り合うプッシュフードの側面、上下面或いはその両方の面の間にパッキン等のシール材を介して気密状態で連結されていることが好ましい。これらの場合にも空気流開口面２３と空気衝突面Ｗとの間の開放した領域を局所空気清浄化装置１外の領域よりも高い清浄度とすることができる。
【００３３】
上記実施の形態では、空気衝突面Ｗが壁、衝立のような平板状の場合を例に本発明を説明したが、空気衝突面Ｗは平板状に限定されるものではない。例えば、空気衝突面Ｗは、プッシュフード２の空気流開口面２３の端部と対向する位置の近傍である、空気衝突面Ｗの端部、例えば、図７に示すように、空気衝突面Ｗの側部にプッシュフード２側に向かって屈曲した屈曲部Ｗ１を有することが好ましい。また、空気衝突面Ｗは、その上部、下部、及び側部の全てを空気流開口面２３側に向かって屈曲した屈曲部Ｗ１を有してもよい。また、屈曲部Ｗ１は、なだらかな曲面を有するように角を丸め（アールを付け）てもよい。このように空気衝突面Ｗが屈曲部Ｗ１を有することにより、空気流開口面２３と空気衝突面Ｗとの間に形成される開放した領域外（局所空気清浄化装置１外）からの空気の流入を防止しやすくなる。このため、空気流開口面２３と空気衝突面Ｗとの間の領域を局所空気清浄化装置１外の領域よりもより高い清浄度とすることができ、簡単な構造の局所空気清浄化装置１を提供することができる。
【００３４】
このような屈曲部Ｗ１を有する局所空気清浄化装置１の場合、空気流開口面２３と空気衝突面Ｗとの距離は、空気流開口面２３の幅が２ｍ以上１０ｍ未満の場合には流速の６倍の距離以内（空気流開口面２３から吹き出された一様空気流が６秒以内に空気衝突面Ｗに衝突する距離）にすることが好ましい。また、空気流開口面２３の幅が１ｍ以上２ｍ未満の場合には流速の５倍の距離以内（空気流開口面２３から吹き出された一様空気流が５秒以内に空気衝突面Ｗに衝突する距離）以内にすることが好ましい。さらに、空気流開口面２３の幅が０．２ｍ以上１ｍ未満の場合には流速の３倍の距離以内（空気流開口面２３から吹き出された一様空気流が３秒以内に空気衝突面Ｗに衝突する距離）にすることが好ましい。かかる距離にすることにより、空気流開口面２３と空気衝突面Ｗとの間の開放された領域を高い清浄度にすることができるためである。
【００３５】
また、プッシュフード２は底面にキャスターを取付けた構造としてもよい。この場合、プッシュフード２を容易に移動させることが可能である。この場合、施工が容易、かつ、移動も容易に行うことが可能である。
【００３６】
また、プッシュフード２を、図８（ａ）に示すように、壁面（空気衝突面Ｗ）に向かって平行に数台並べてもよい。この場合、プッシュフード２と壁（空気衝突面Ｗ）との間に清浄な空間が形成されるので、容易に清浄な通路を形成することが可能である。さらに、図８（ｂ）〜（ｄ）に示すように、壁面（空気衝突面Ｗ）をＬ字状に形成することにより、通路がＬ字状になっている場合においても応用が可能であるため、異型な清浄空間を容易に形成することが可能である。
【実施例】
【００３７】
以下、本発明の具体的な実施例を示し、本発明をさらに詳細に説明する。
【００３８】
（実施例１）
図１に示す局所空気清浄化装置１を用い、図９に示す測定位置１〜１８について清浄度を測定した。なお、図９は局所空気清浄化装置１の上面図である。清浄度の測定は、リオン製パーティクルカウンタのＫＣ−１８を用い、粒子径０．３μｍの粉塵数（個／ＣＦ）を測定した。清浄度は、３００個／ＣＦ以下の場合を高い清浄度であると評価した。プッシュフード２は、横６００ｍｍ、縦６００ｍｍのプッシュフードである。測定位置１〜１８の測定高さについては、プッシュフード２の高さの１／２の位置である３００ｍｍとした。測定位置１〜６はプッシュフード２幅の中央であって、プッシュフード２の空気流開口面２３から２００ｍｍずつ下流側の位置とした。ただし、測定位置６は測定位置５の下流側１００ｍｍの位置とした。測定位置７〜１２はプッシュフード２幅の中央から２００ｍｍ端側、測定位置１３〜１８はプッシュフード２幅の中央から２５０ｍｍ端側とした以外、測定位置１〜６と同様の位置とした。プッシュフード２の空気流開口面２３と空気衝突面Ｗとの間隔Ｘは１２００ｍｍ、清浄化された一様空気流の流速は０．５ｍ／ｓとした。結果を表１に示す。また、比較のため、空気衝突面Ｗ（壁）を設けない場合（比較例１）を表２に、壁の代わりにプッシュフードを配置して特許文献１のようにプッシュフードを対向させた場合（比較例２）を表３に示す。なお、比較例２においては、測定位置６、１２及び１８については測定を実施していない。
【００３９】
（実施例１）
【表１】
2013088012.tif 000003
【００４０】
（比較例１）
【表２】
2013088012.tif 000004
【００４１】
（比較例２）
【表３】
2013088012.tif 000005
【００４２】
表１に示すように、プッシュフード２を空気衝突面Ｗに対向するように配置することにより、空気流開口面２３と空気衝突面Ｗとの間の開放した領域を、局所空気清浄化装置１外の領域よりも高い清浄度とすることができることを確認した。このため、さらに簡単な構造の局所空気清浄化装置１を提供できることを確認した。また、表１および表３に示すように、プッシュフード２を空気衝突面Ｗに対向するように配置することにより、空気流開口面２３と空気衝突面Ｗとの間の開放した領域を、プッシュフードを対向させた特許文献１の局所空気清浄化装置１のように、局所空気清浄化装置１外の領域よりも高い清浄度にできることを確認した。このため、簡単な構造の局所空気清浄化装置１を提供することができることを確認した。また、表１および表２に示すように、空気衝突面Ｗを設けることにより、空気流開口面２３と空気衝突面Ｗとの間の開放した領域を局所空気清浄化装置１外の領域よりも高い清浄度とすることができることを確認した。
【産業上の利用可能性】
【００４３】
本発明は局所的な作業空間の空気洗浄に有用である。
【符号の説明】
【００４４】
１  局所空気清浄化装置
２  プッシュフード
２１  ハウジング
２２  空気流吸込面
２３  空気吹出面（空気流開口面）
２４  送風機構
２５  高性能フィルタ
２６  整流機構
２７  プレフィルタ
Ｗ  空気衝突面
【図２】
2013088012.tif 000006
【図３】
2013088012.tif 000007
【図４】
2013088012.tif 000008
【図５】
2013088012.tif 000009
【図７】
2013088012.tif 000010
【図８】
2013088012.tif 000011
【図９】
2013088012.tif 000012
【図１】
2013088012.tif 000013
【図６】
2013088012.tif 000014